(57)【特許請求の範囲】
【請求項１】
所定単位の記録領域ごとに設定可能な再生を行うか否かを示す再生可否情報が付加的に記録された記録媒体を再生する記録媒体再生装置において、
所定の再生指示により再生の対象となった前記記録領域について、前記再生可否情報により再生不可である旨が設定されているときは、所定の情報を出力する情報出力手段を備え、
前記再生指示が与えられた時、前記再生不可である旨の設定が、前記再生対象となった記録領域のすべてについてなされている場合には、その時点での再生に関する動作状態を維持することを特徴とする記録媒体再生装置。
【請求項２】
前記情報出力手段は、前記再生不可である旨の設定が前記再生対象となった記録領域のすべてについてなされているとき、すべての記録領域が再生不可である旨を前記所定の情報として出力することを特徴とする請求項１に記載の記録媒体再生装置。
【請求項３】
前記再生指示は、再生すべきいずれかの記録領域を特定することにより行われるものであり、これにより再生の対象となった記録領域について前記再生不可である旨の設定がなされているときは、前記情報出力手段は、前記特定された記録領域が再生不可である旨を前記所定の情報として出力することを特徴とする請求項１に記載の記録媒体再生装置。
【請求項４】
所定単位の記録領域ごとに設定可能な再生を行うか否かを示す再生可否情報が付加的に記録された記録媒体を再生する記録媒体再生装置において、
所定の再生指示が与えられた時、該再生指示により再生の対象となったすべての前記記録領域について、前記再生可否情報により再生不可である旨が設定されている場合には、その時点での再生に関する動作状態を維持することを特徴とする記録媒体再生装置。
【請求項５】
再生を希望する前記記録領域の登録の指示を受け入れて、その登録を行う登録手段と、
前記登録の指示が受け入れられた記録領域について、前記再生可否情報により再生不可である旨が設定されているときは、その記録領域の登録を阻止し、所定の情報を出力する情報出力手段とを有することを特徴とする請求項１〜３のいずれか１項に記載の記録媒体再生装置。
【請求項６】
所定単位の記録領域ごとに設定可能な再生を行うか否かの再生可否情報が付加的に記録された記録媒体を再生する記録媒体再生方法において、
所定の再生指示により再生の対象となった前記記録領域について、前記再生可否情報により再生不可である旨が設定されているときは、所定の情報を出力する情報出力工程と、
前記再生指示が与えられた時、前記再生不可である旨の設定が、前記再生対象となった記録領域のすべてについてなされている場合には、その時点での再生に関する動作状態を維持する工程とを具備することを特徴とする記録媒体再生方法。
【請求項７】
前記情報出力工程では、前記再生不可である旨の設定が前記再生対象となった記録領域のすべてについてなされているとき、すべての記録領域が再生不可である旨を前記所定の情報として出力することを特徴とする請求項６に記載の記録媒体再生方法。
【請求項８】
前記再生指示は、再生すべきいずれかの記録領域を特定することにより行われるものであり、これにより再生の対象となった記録領域について前記再生不可である旨の設定がなされているときは、前記情報出力工程では、前記特定された記録領域が再生不可である旨を前記所定の情報として出力することを特徴とする請求項６に記載の記録媒体再生方法。
【請求項９】
所定単位の記録領域ごとに設定可能な再生を行うか否かを示す再生可否情報が付加的に記録された記録媒体を再生する記録媒体再生方法において、
所定の再生指示が与えられた時、該再生指示により再生の対象となったすべての前記記録領域について、前記再生可否情報により再生不可である旨が設定されている場合には、その時点での再生に関する動作状態を維持することを特徴とする記録媒体再生方法。
【請求項１０】
再生を希望する前記記録領域の登録の指示を受け入れて、その登録を行う登録工程と、
前記登録の指示を受け入れた記録領域について、前記再生可否情報により再生不可である旨が設定されているときは、その記録領域を登録することなく、所定の情報を出力する工程とを有することを特徴とする請求項６〜８のいずれか１項に記載の記録媒体再生方法。
【発明の詳細な説明】
【０００１】
【発明の属する技術分野】
本発明は、所定単位の記録領域ごとに設定可能な再生を行うか否かの再生可否情報が記録された記録媒体を再生する記録媒体再生装置及び方法に関する。
【０００２】
【従来の技術】
従来、ＣＤ−ＲやＣＤ−ＲＷを再生する場合の機能として、スキップという機能がある。これは、録音の際に録音を失敗したトラック等について、再生せずスキップするように設定（以下、「スキップ設定」という。）をしておけば、スキッププレイを指定したときには、スキップ設定がされたトラック（以下、「スキップトラック」という。）を飛ばして再生することができるというものである。
【０００３】
この従来技術では、スキッププレイ指定時に、再生停止中にプレイキーが押下されると、スキップトラックでなくかつトラック番号（以下、「Ｔｎｏ．」という。）が最小のトラックについて再生を開始する。このときすべてがスキップトラックである場合は、一度再生動作に入るが、再生できるトラックが無いので、何も再生せずに再び停止状態に戻る。
【０００４】
また、スキッププレイ指定時に、テンキー等でＴｎｏ．を指定することによりそのＴｎｏ．に対してダイレクトに再生要求がなされた場合において、そのＴｎｏ．のトラックがスキップトラックであるときは、そのトラックよりＴｎｏ．が大きくて最も近くかつスキップトラックでないトラックの再生を行う。この場合も、一度、指定されたＴｎｏ．のトラックの再生動作に入るが、それ以降のすべてのトラックがスキップトラックであるときは再生できるトラックが無いので、何も再生せずに再び停止状態に戻る。
【０００５】
【発明が解決しようとする課題】
しかしながら、かかる従来技術によれば、ユーザがプレイキーやテンキーで再生を指示した場合に、再生の対象となるすべてのトラックがスキップトラックであるときは、再生動作に入り、かつ何も再生せずに停止状態に戻るだけであるため、ユーザはなぜ指示が受け入れられないのか奇異に感じ、戸惑いを覚える場合がある。しかも一旦、再生動作に入り、対象となるトラックをサーチする動作を行うため、現在進行中の再生動作等が何ら意味も無く中断されてしまうことになる。
【０００６】
本発明の目的は、かかる従来技術の問題点に鑑み、第１に、再生指示に基づいて再生対象となったトラックがすべてスキップトラックであって再生がまったく行われない場合でもユーザが戸惑うことのないようにすることにある。第２に、再生指示が与えられた場合に、進行中の動作が無意味に中断されることのないようにすることにある。
【０００７】
【課題を解決するための手段】
前記第１の目的を達成するため、第１の発明に係る記録媒体再生装置は、所定単位の記録領域ごとに設定可能な再生を行うか否かを示す再生可否情報が付加的に記録された記録媒体を再生する記録媒体再生装置において、所定の再生指示により再生の対象となった前記記録領域について、前記再生可否情報により再生不可である旨が設定されているときは、所定の情報を出力する情報出力手段を具備することを特徴とする。
【０００８】
ここで、記録媒体としては所定単位の記録領域ごとに再生可能で再生可否情報が記録しうるものであれば何でもよいが、具体的にはＣＤ−Ｒ（CD Recordable）、ＣＤ−ＲＷ（CD Rewritable）、ＭＤ（ミニ・ディスク）、ＤＶＤ−Ｒ（DVD Recordable）、ＤＶＤ−ＲＡＭ等が該当する。また、所定単位の記録領域とは、たとえばＣＤ−ＲやＣＤ−ＲＷにおけるトラックのように、その単位で再生が可能な領域を意味する。再生可否情報としては、たとえばＣＤ−ＲやＣＤ−ＲＷの場合、リードイン（Lead In）の領域やプログラム・メモリ・エリア（Program Memory Area）にスキップ情報等として記録されるものが該当する。この場合のスキップ情報とは、録音に失敗した等により再生が不要で、再生時には再生せずにスキップさせるトラックを特定した情報である。「付加的に記録」とは、再生可否情報が、本来の再生対象である各記録領域の情報に対し、その再生可否を設定する目的で付け加えられたものであることを意味する。所定の再生指示には、単にプレイキー等を押すことによる記録媒体全体の再生を目的とする再生指示、再生したい記録領域を直接テンキー等で特定して行う再生指示、スキップアップキーによる次の記録領域を再生する旨の指示、スキップダウンキーによる現在再生中の記録領域の先頭からの再生又は前の記録領域の再生を目的とする再生指示等が含まれる。所定の情報の出力としては、再生指示を与えたにもかかわらず再生がなされないことによるユーザの戸惑い等を除去しうるようなメッセージの出力が好ましいが、そのように工夫された警告音の出力や光の点滅等の出力でもかまわない。情報出力手段としては、ディスプレイや、発光手段とそれによって照明される文字とで構成されるような固定的セグメントによるものや、音声等のように聴覚に訴えるもの等が使用できる。
【０００９】
この構成において、ユーザが所定の指示により再生を指示すると、この指示により再生対象となった各記録領域について順次再生が行われるが、再生可否情報により再生不可とされている記録領域については、再生が行われずにスキップされる。その際に従来は、ユーザの再生指示があった時点で、進行中の再生動作等を中断して、再生対象となった記録領域のサーチ動作に入り、再生対象となった記録領域のすべてが再生不可とされているものであるときは、再生できる記録領域が無いため、停止状態となるだけであった。そのような場合、ユーザは、再生指示をしたにもかかわらず、何ら再生が行われないため、戸惑いを感じていた。これに対し本第１発明では、ユーザの再生指示により再生の対象となった記録領域について再生不可である旨が設定されているときは所定の情報を出力するようにしたため、再生がまったく行われないときでも、適切な情報の出力を行うことにより、ユーザに戸惑いを生じさせるのを防止することができる。なお、再生の対象となった記録領域のすべてについて再生が行われないときのみならず、一部の記録領域について再生が行われない場合にも、所定の出力を行うようにしてもよい。
【００１０】
第２の発明係る記録媒体再生装置は、第１発明において、前記情報出力手段は、前記再生不可である旨の設定が前記再生対象となった記録領域のすべてについてなされているとき、すべての記録領域が再生不可である旨を前記所定の情報として出力することを特徴とする。ここで、再生指示により再生対象となったすべての記録領域が、再生可否情報により再生不可に設定されていて再生されないとすれば、ユーザは奇異に思い、戸惑いを感じることになるが、本第２発明によれば、そのようなときには、すべての記録領域が再生不可である旨の情報が出力されるため、ユーザは戸惑いを感じることなく、次の操作に移ることができる。
【００１１】
第３の発明に係る記録媒体再生装置は、第１発明において、前記再生指示は、再生すべきいずれかの記録領域を特定することにより行われるものであり、これにより再生の対象となった記録領域について前記再生不可である旨の設定がなされているときは、前記情報出力手段は、前記特定された記録領域が再生不可である旨を前記所定の情報として出力することを特徴とする。ここで、再生すべき記録領域を特定して再生指示を行っても何ら再生が行われないとすれば、ユーザは奇異に思い、戸惑いを感じることになるが、本第３発明によれば、そのようなときには、特定された記録領域が再生不可である旨の情報が出力されるため、ユーザは戸惑いを感じることなく、次の操作に移ることができる。
【００１２】
前記第２の目的を達成するため、第４の発明に係る記録媒体再生装置は、所定単位の記録領域ごとに設定可能な再生を行うか否かを示す再生可否情報が付加的に記録された記録媒体を再生する記録媒体再生装置において、所定の再生指示により再生の対象となったすべての前記記録領域について、前記再生可否情報により再生不可である旨が設定されているときは、現在の再生に関する動作状態を維持することを特徴とする。ここで、現在の再生に関する動作状態とは、再生指示が与えられた時点で進行している再生状態、ポーズ状態又は再生停止状態のような本来の再生に関する動作状態をいい、第１〜第３発明における情報の出力動作のような付随的な動作は含まれない。
【００１３】
この構成において、ユーザが所定の指示により再生を指示すると、この指示により再生対象となった各記録領域について順次再生が行われるが、再生可否情報により再生不可とされている記録領域については、再生が行われずにスキップされる。この際、従来は、再生指示があった時点で、進行中の動作を中断し、再生対象となった記録領域をサーチする動作に入るが、再生対象となった記録領域のすべてが再生不可とされているものであるときは、再生できる記録領域が無いため、そのまま停止状態となっていた。すなわち、ユーザの指示が与えられた時点で再生状態やポーズ状態であったとすれば、それらの動作が何ら意味もなく中断されていた。これに対し、本第４発明によれば、再生指示により再生の対象となったすべての記録領域について再生不可である旨が設定されているときは、現在の再生状態やポーズ状態を維持するようにしたため、再生動作等についての意味のない中断が防止されることになる。
【００１４】
第５の発明に係る記録媒体再生装置は、所定単位の記録領域ごとに設定可能な再生を行うか否かを示す再生可否情報が付加的に記録された記録媒体を再生する記録媒体再生手段と、再生を希望する前記記録領域の登録の指示を受け入れる登録手段とを備えた記録媒体再生装置において、前記登録の指示を受け入れた記録領域について、前記再生可否情報により再生不可である旨が設定されているときは、その記録領域を登録することなく、所定の情報を出力する情報出力手段を具備することを特徴とする。これによれば、ユーザが登録を希望した記録領域が再生不可に設定されているために登録されれないときは所定の情報が出力されるため、ユーザはその情報により、その記録領域が登録できなかったことを知り、戸惑うことなく次の操作に移ることができる。
【００１５】
第６の発明に係る記録媒体再生方法は、所定単位の記録領域ごとに設定可能な再生を行うか否かを示す再生可否情報が付加的に記録された記録媒体を再生する記録媒体再生方法において、所定の再生指示により再生の対象となった前記記録領域について、前記再生可否情報により再生不可である旨が設定されているときは、所定の情報を出力する情報出力工程を具備することを特徴とする。これによれば、第１発明の場合と同様に、ユーザの再生指示により再生の対象となった記録領域について再生がまったく行われないときでも、適切な情報の出力を行うことにより、ユーザに戸惑いを生じさせるのを防止することができる。
【００１６】
第７の発明に係る記録媒体再生方法は、第６発明において、前記情報出力工程では、前記再生不可である旨の設定が前記再生対象となった記録領域のすべてについてなされているとき、すべての記録領域が再生不可である旨を前記所定の情報として出力することを特徴とする。これによれば、第２発明の場合と同様に、再生指示により再生対象となったすべての記録領域が再生不可に設定されていて再生されないときには、すべての記録領域が再生不可である旨の情報が出力されるため、ユーザは戸惑いを感じることなく、次の操作に移ることができる。
【００１７】
第８の発明に係る記録媒体再生方法は、第６発明において、前記再生指示は、再生すべきいずれかの記録領域を特定することにより行われるものであり、これにより再生の対象となった記録領域について前記再生不可である旨の設定がなされているときは、前記情報出力工程では、その特定の記録領域が再生不可である旨を前記所定の情報として出力することを特徴とする。これによれば、第３発明の場合と同様に、再生指示により特定した記録領域が再生不可に設定されているために再生が行われないときには、特定された記録領域が再生不可である旨の情報が出力されるため、ユーザは戸惑いを感じることなく、次の操作に移ることができる。
【００１８】
第９発明に係る記録媒体再生方法は、所定単位の記録領域ごとに設定可能な再生を行うか否かを示す再生可否情報が付加的に記録された記録媒体を再生する記録媒体再生方法において、所定の再生指示により再生の対象となったすべての前記記録領域について、前記再生可否情報により再生不可である旨が設定されているときは、現在の再生に関する動作状態を維持することを特徴とする。これによれば、第４発明の場合と同様に、再生動作等についての意味のない中断が防止されることになる。
【００１９】
第１０の発明に係る記録媒体再生方法は、所定単位の記録領域ごとに設定可能な再生を行うか否かを示す再生可否情報が付加的に記録された記録媒体を再生する記録媒体再生工程と、再生を希望する前記記録領域の登録の指示を受け入れる登録工程とを備えた記録媒体再生方法において、前記登録の指示を受け入れた記録領域について、前記再生可否情報により再生不可である旨が設定されているときは、その記録領域を登録することなく、所定の情報を出力する工程を具備することを特徴とする。これによれば、第５発明の場合と同様に、ユーザが登録を希望した記録領域が再生不可に設定されているために登録されれないときは所定の情報が出力されるため、ユーザはその情報により、その記録領域が登録できなかったことを知り、戸惑うことなく次の操作に移ることができる。
【００２０】
【発明の実施の形態】
図１は本発明の一実施形態に係るＣＤ再生部の構成を示すブロック図である。同図において、１は所定の手段によりチャッキングされたＣＤ、２はＣＤ１を回転させるモータ、３はＣＤ１に記録されている情報を読み取るための光ピックアップ、４は光ピックアップ３が出力するＲＦ信号のデコード等を行う信号処理部、５は信号処理部４が出力する再生データをＤ／Ａ変換するＤ／Ａ変換器、６は信号処理部４が出力するＴＯＣ（Table Of Contents）情報やスキップ情報を記憶するメモリ部である。スキップ情報にはＣＤ１に含まれるスキップトラックのＴｎｏ．（トラック番号）の情報が含まれている。７は装置各部を制御するとともに、メモリ部１のスキップ情報に基づくスキップトラックに関する情報等を表示させるマイコン、８はこれらの情報を表示する表示部、９はユーザがマイコン７に対して再生をすべき旨の指示を与えるためのプレイキー、１０は再生すべきＴｎｏ．を指定して再生指示を行うためのテンキー、１１は再生を停止させるためのストップキー、１２はスキッププレイを指定するためのスキッププレイ指令キー、１３は次のＴｎｏ．の再生を指示するためのスキップアップキー、１４は前のＴｎｏ．の再生を指示するためのスキップダウンキー、１５は再生すべきＴｎｏ．を登録するモードであるプログラムモードに設定するためのプログラムモードキー、１６はプログラムモードにおいて登録すべきＴｎｏ．を確定するためのセットキーである。
【００２１】
図２はＣＤ１として再生し得るＣＤ−Ｒのディスクレイアウトを示す。同図において、２１は光ピックアップによる記録に最適なレーザパワーを較正するためのパワー・キャリブレーション・エリア（Power Calibration Area）、２２は各トラックの先頭と末尾のアドレスを保持するプログラム・メモリ・エリア（Program Memory Area）、２３はセッションの開始を示し、ＴＯＣ情報等を有するリード・イン（Lead in）、２４はセッションにおける再生情報が記録されたプログラム・エリア（Program Area）、２５はセッションの終了を示すリード・アウト（Lead Out）である。上述のスキップ情報は、ファイナライズされているＣＤ−ＲやＣＤ−ＲＷであればリードイン２３に記録されており、ファイナライズされていない場合は、プログラム・メモリ・エリア２２に記録されている。
【００２２】
図３は表示部８における警告表示の表示例を示す。同図に示すように、表示部８の上段には再生中のＣＤ−Ｒにおけるアクセス中のトラック番号（以下、「Ｔｎｏ．」という。）を表示し、下段にはこれに対応したメッセージを、図中の矢印方向にスクロールさせながら表示するようになっている。図３（ａ）では、Ｔｎｏ．０５のトラックがスキップトラックである旨が表示されている。図３（ｂ）では、Ｔｎｏ．０１以降のすべてのトラックがスキップトラックである旨が表示されている。
【００２３】
この構成において、スキッププレイ指令キー１２によりスキッププレイが指定された後、テンキー１０にるＴｎｏ．の指定により再生要求があると、メモリ部６に記憶されているスキップ情報に基づき、そのＴｎｏ．がスキップトラックである場合は、図３（ａ）のように、そのＴｎｏ．とそれがスキップトラックである旨を表示部８に表示する。このとき、指定されたＴｎｏ．について再生を行うためのサーチ動作に移ることなく現在の動作状態、すなわち進行中の再生、ポーズ又は停止の状態を保持する。一方、ディスクのすべてのトラックがスキップトラックである場合においてプレイキー９、スキップアップキー１３又はスキップダウンキー１４が押下されたときには、図３（ｂ）のように、すべてがスキップトラックである旨を表示するとともに、同様に現在の動作状態を保持する。
【００２４】
図４及び図５はこのような動作を実現するための処理を示す。図４に示されるように、スキッププレイ指定時にステップ３１において再生停止の状態にあると判定したときは、ステップ３２〜３５においてプレイキー９、スキップアップキー１３、テンキー１０又はスキップダウンキー１４の押下を検出する。いずれのキーの押下も検出しない場合は図４の処理を抜け、再生停止の状態が続行する。
【００２５】
ステップ３２でプレイキー９の押下を検出したときは、ステップ３６において、スキップトラックか否かの判定対象となるＴｎｏ．ｎを最小のトラック番号ＭｉｎＴｎｏとし、ステップ３８へ進む。ステップ３３でスキップアップキー１３の押下を検出したときは、スキップトラックか否かの判定対象となるＴｎｏ．ｎをＭｉｎＴｎｏ＋１として、ステップ３８へ進む。
【００２６】
ステップ３８ではＴｎｏ．ｎが最大のトラック番号ＭａｘＴｎｏを超えたか否かを判定し、超えていない場合はステップ３９においてＴｎｏ．ｎのトラックがスキップトラックか否かを判定する。スキップトラックの場合はステップ４０においてＴｎｏ．ｎを１だけインクリメントし、ステップ３８に戻る。スキップトラックでない場合はステップ４１へ進み、Ｔｎｏ．ｎのトラックについて再生を開始し、図４の処理を抜ける。これにより、最初にサーチされたスキップトラックでない再生可能なトラックについての再生状態となる。
【００２７】
ステップ３８においてＴｎｏ．ｎが最大のトラック番号ＭａｘＴｎｏを超えたと判定したときは、ステップ４２において、すべてのトラックがスキップトラックである旨の"Ａｌｌ  Ｓｋｉｐ  Ｔｒａｃｋｓ"を表示し、図４の処理を抜ける。この場合、何らのトラックのサーチ動作に入ることもなく、再生停止の状態が維持されることになる。
【００２８】
ステップ３４においてテンキー１０の押下を検出した場合は、ステップ４３において、テンキー１０で指定されたＴｎｏ．ｎが最小トラック番号ＭｉｎＴｎｏ以上でかつ最大トラック番号ＭａｘＴｎｏ以下の範囲にあるか否かを判定する。この要件を満たさない場合はそのまま図４の処理を抜ける。要件を満たす場合はステップ４４において、指定されたＴｎｏ．ｎのトラックがスキップトラックであるか否かを判定し、スキップトラックでない場合はステップ４５においてそのトラックの再生を開始し、図４の処理を抜ける。これにより再生状態となる。スキップトラックである場合はステップ４６において、図３（ａ）に示すように、そのトラック番号と、それがスキップトラックである旨の"Ｓｋｉｐ  Ｔｒａｃｋ"を表示して、図４の処理を抜ける。この場合、何らのトラックのサーチ動作に入ることもなく、再生停止の状態が維持されることになる。
【００２９】
ステップ３５においてスキップダウンキー１４の押下を検出した場合は、ステップ４７において、スキップトラックか否かの判定対象となるＴｎｏ．ｎを最大トラック番号ＭａｘＴｎｏとし、ステップ４８へ進む。ステップ４８では、Ｔｎｏ．ｎが最小トラック番号ＭｉｎＴｎｏを下回ったか否かを判定し、下回っていない場合はステップ４９においてＴｎｏ．ｎのトラックはスキップトラックか否かを判定する。スキップトラックの場合はステップ５０においてＴｎｏ．ｎを１だけデクリメントし、ステップ４８に戻る。スキップトラックでない場合はステップ５１においてそのトラックの再生を開始し、図４の処理を抜ける。これにより、最初にサーチされたスキップトラックでない再生可能なトラックについての再生状態となる。ステップ４８において、Ｔｎｏ．ｎが最小トラック番号ＭｉｎＴｎｏ．を下回ったと判定した場合は、ステップ５２において、すべてのトラックがスキップトラックである旨の"Ａｌｌ  Ｓｋｉｐ  Ｔｒａｃｋｓ"を表示し、図４の処理を抜ける。この場合、何らのトラックのサーチ動作に入ることもなく、再生停止の状態が維持されることになる。
【００３０】
一方、ステップ３１において、再生停止の状態にはなく、再生又はポーズ状態にあると判定したときは、図５のステップ５３〜５６において、プレイキー９、スキップアップキー１３、テンキー１０又はスキップダウンキー１４の押下を検出する。いずれのキーの押下も検出しない場合は図４の処理を抜け、再生又はポーズ状態が続くことになる。
【００３１】
ポーズ状態にある場合においてステップ５３でプレイキー９の押下を検出したときは、ステップ５７でプレイとポーズの切替えを行って、ポーズの指示の受入れを可能にし、図４の処理を抜ける。すなわちユーザは、再生状態ではポーズの指示ができ、ポーズ状態では再生の指示ができるようになっている。
【００３２】
ステップ５４においてスキップアップキー１３の押下を検出したときは、ステップ５８において、スキップトラックか否かの判定対象となるＴｎｏ．ｎを現在再生中又はポーズ中のトラック番号ＰｌａｙＴｎｏに１を加算した値とし、ステップ５９へ進む。ステップ５９では、Ｔｎｏ．ｎが最大のトラック番号ＭａｘＴｎｏを超えたか否かを判定し、超えていない場合はステップ６０においてＴｎｏ．ｎのトラックがスキップトラックか否かを判定する。スキップトラックの場合はステップ６１においてＴｎｏ．ｎを１だけインクリメントし、ステップ５９に戻る。スキップトラックでない場合はステップ６２へ進み、Ｔｎｏ．ｎのトラックについて再生を開始し、図４の処理を抜ける。これにより、現在再生又はポーズ中のトラックより後のトラックであって、最初にサーチされたスキップトラックでない再生可能なトラックについての再生状態となる。ステップ５９においてＴｎｏ．ｎが最大のトラック番号ＭａｘＴｎｏを超えたと判定したときは、そのまま図４の処理を抜ける。この場合、何らのトラックのサーチ動作に入ることもなく、現在の再生又はポーズ状態が維持されることになる。
【００３３】
ステップ５５においてテンキー１０の押下を検出した場合は、ステップ６３において、テンキー１０で指定されたＴｎｏ．ｎが最小トラック番号ＭｉｎＴｎｏ以上でかつ最大トラック番号ＭａｘＴｎｏ以下の範囲にあるか否かを判定する。この要件を満たさない場合はそのまま図４の処理を抜ける。要件を満たす場合はステップ６４において、指定されたＴｎｏ．ｎのトラックはスキップトラックであるか否かを判定し、スキップトラックでない場合はステップ６５においてそのトラックの再生を開始し、図４の処理を抜ける。スキップトラックである場合はステップ６６において、図３（ａ）に示すように、そのトラック番号と、それがスキップトラックである旨の"Ｓｋｉｐ  Ｔｒａｃｋ"を表示して、図４の処理を抜ける。この場合、何らのトラックのサーチ動作に入ることもなく、現在の再生又はポーズ状態が維持されることになる。
【００３４】
ステップ５６においてスキップダウンキー１４の押下を検出した場合は、ステップ６７において、現在再生中又はポーズ中のトラック番号ＰｌａｙＴｎｏについて頭出しを行い、ステップ６８において、さらにスキップダウンキー１４の押下があったか否かを判定する。スキップダウンキー１４の押下がなかった場合はそのまま図４の処理を抜ける。スキップダウンキー１４の押下があった場合は、ステップ６９において、スキップトラックか否かの判定対象となるＴｎｏ．ｎを現在再生中又はポーズ中のトラック番号ＰｌａｙＴｎｏから１だけ減算した値とし、ステップ７０へ進む。
【００３５】
ステップ７０では、Ｔｎｏ．ｎが最小トラック番号ＭｉｎＴｎｏを下回ったか否かを判定し、下回っていない場合はステップ７７においてＴｎｏ．ｎのトラックはスキップトラックか否かを判定する。スキップトラックの場合はステップ７８においてＴｎｏ．ｎを１だけデクリメントしてステップ７０に戻る。スキップトラックでない場合はステップ７９においてそのトラックの再生を開始し、図４の処理を抜ける。これにより、現在再生又はポーズ中のトラックより前のトラックであって、最初にサーチされたスキップトラックでない再生可能なトラックについての再生状態となる。ステップ７０において、Ｔｎｏ．ｎが最小トラック番号ＭｉｎＴｎｏを下回ったと判定した場合は、そのまま図４の処理を抜ける。
【００３６】
以上のように、図４及び図５の処理によれば、スキッププレイの指定時における再生停止中にプレイキー９、スキップアップキー１３、テンキー１０又はスキップダウンキー１４の押下があった場合、再生対象となるすべてのトラック又は指定されたトラックがスキップトラックであるときはその旨を表示するとともに、何らの動作も行わずに再生停止の状態を保持するようにしたため、ユーザは、プレイキー９等を押したのになぜ再生が行われないのかと戸惑ったり、悩んだりすることがなくなる。また、スキッププレイの指定時における再生又はポーズ中にテンキー１０の押下によりＴｎｏ．が指定された場合、そのＴｎｏ．がスキップトラックであるときはその旨を表示するとともに何らの動作をも行わずに再生又はポーズ状態を維持するようにしたため、ユーザはテンキー１０の押下によりＴｎｏ．を指定したのになぜそのＴｎｏ．のトラックが再生されないのかと戸惑ったり、悩んだりすることがなくなる。また、再生又はポーズ状態が維持されるため、再生中の曲が中断されてしまうといった不都合が生じることもない。
【００３７】
図６は図１の装置におけるスキッププレイ指定時のプログラム登録処理を示す。同図に示すように、この処理では、ステップ８１において再生停止中であり、かつステップ８２においてプログラムモードにあると判定した場合に、ステップ８３〜８５においてスキップアップキー１３、テンキー１０又はスキップダウンキー１４の押下を検出する。
【００３８】
ステップ８３においてスキップアップキー１３の押下を検出した場合は、ステップ８６において、スキップアップキー１３の押下によってインクリメントされたＴｎｏ．ｎが最大トラック番号ＭａｘＴｎｏを超えたか否かを判定する。超えている場合はステップ８３に戻り、超えていない場合はステップ８７へ進む。
【００３９】
ステップ８４において、テンキー１０の押下を検出した場合は、ステップ９１においてテンキー１０により指定されたＴｎｏ．ｎが、最小トラック番号ＭｉｎＴｎｏ以上でかつ最大トラック番号ＭａｘＴｎｏ以下という条件に適合するか否かを判定する。適合しないと判定した場合はステップ８３に戻り、適合すると判定した場合はステップ８７に進む。
【００４０】
ステップ８５においてスキップダウンキー１４の押下を検出した場合は、ステップ９２において、スキップダウンキー１４の押下によりデクリメントされたＴｎｏ．ｎが最小トラック番号ＭｉｎＴｎｏを下回ったか否かを判定する。下回った場合はステップ８３へ戻り、下回っていない場合はステップ８７へ進む。
【００４１】
ステップ８７では、セットキー１６が押下されたか否かを判定する。押下されなかったときはステップ８３に戻る。押下されたときはステップ８８へ進む。この場合、スキップアップキー１３等により指定したＴｎｏ．ｎについて、ユーザが登録の意思を有していることが示されたことになる。
【００４２】
ステップ８８では、Ｔｎｏ．ｎのトラックはスキップトラックであるか否かを判定する。スキップトラックであると判定した場合は、ステップ８９へ進む。この場合、スキップアップキー１３等により指定したＴｎｏ．ｎはスキップトラックであるため、ユーザによる登録の意思が受け入れられなかったことになる。ステップ８９では図３（ａ）に示すような、Ｔｎｏ．ｎのトラックはスキップトラックである旨の表示を行い、ステップ８３に戻る。この場合、ユーザはこの表示を見て、登録しようとしたＴｎｏ．ｎのトラックはスキップトラックであって登録できなかったことを知り、戸惑うことなく次の操作に移ることができる。
【００４３】
ステップ８８においてスキップトラックでないと判定した場合はステップ９０において、指定されたＴｎｏ．ｎの登録を行い、プログラム登録のための入力状態をクリアして、図６の処理を抜ける。
【００４４】
以上のようにしてプログラム登録されたＴｎｏ．ｎのトラックは、いわゆるプログラム再生により、再生することができる。
【００４５】
【発明の効果】
以上説明したように、本発明によれば、ユーザの再生指示により再生の対象となった記録領域について再生不可である旨が設定されているときは所定の情報を出力するようにしたため、ユーザに戸惑いを生じさせるのを防止することができる。
【００４６】
また、再生指示により再生対象となったすべての記録領域が、再生可否情報により再生不可に設定されているときは、すべての記録領域が再生不可である旨の情報を出力するようにしたため、ユーザは戸惑いを感じることなく、次の操作に移ることができる。
【００４７】
また、再生すべき記録領域を特定して再生指示が行われたときに、その記憶領域が再生不可に設定されている場合は、特定された記録領域が再生不可である旨の情報を出力するようにしたため、ユーザは戸惑いを感じることなく、次の操作に移ることができる。
【００４８】
また、再生の対象となったすべての記録領域について再生不可である旨が設定されているときは、現在の再生に関する動作状態を維持するようにしたため、再生動作等についての意味のない中断を防止することができる。
【００４９】
また、登録の指示を受け入れた記録領域について、再生不可である旨が設定されているときは、その記録領域を登録することなく、所定の情報を出力するようにしたため、再生不可の記録領域の登録を排除するとともに、ユーザは所定の情報の出力により、その記録領域が登録できなかったことを知り、戸惑うことなく次の操作に移ることができる。
【図面の簡単な説明】
【図１】本発明の一実施形態に係るＣＤ再生部の構成を示すブロック図である。
【図２】ＣＤ−Ｒのディスクレイアウトを示す図である。
【図３】図１の装置の表示部における警告表示の表示例を示す図である。
【図４】図１の装置の動作を示すフローチャートである。
【図５】図４のフローチャートの一部の処理を示すフローチャートである。
【図６】図１の装置におけるスキッププレイ指定時のプログラム登録処理を示すフローチャートである。
【符号の説明】
１：ＣＤ、２：光ピックアップ、４：信号処理部、５：Ｄ／Ａ変換器、６：メモリ部、７：マイコン、８：表示部、９：プレイキー、１０：テンキー、１１：ストップキー、１２：スキッププレイ指令キー、１３：スキップアップキー、１４：スキップダウンキー、１５：プログラムモードキー、１６：セットキー、２１：パワー・キャリブレーション・エリア、２２：プログラム・メモリ・エリア、２３：リード・イン、２４：プログラム・エリア、２５：リード・アウト。
【図１】
0003830075.tif 000002
【図２】
0003830075.tif 000003
【図３】
0003830075.tif 000004
【図４】
0003830075.tif 000005
【図５】
0003830075.tif 000006
【図６】
0003830075.tif 000007